(57)【要約】【課題】  給湯用と暖房用であっても、屋外に設置される給湯装置の占有範囲を小さくでき、建物内の大面積を快適に暖房できる貯湯式給湯装置を提供する。【解決手段】  給湯用の水または湯を貯える第１の貯湯タンク１と、建物の暖房用の水または湯を貯える第２の貯湯タンク２と、第１の貯湯タンクと第２の貯湯タンク内の水または湯を加熱する加熱手段としてヒートポンプユニット３とを備え、第２の貯湯タンクは建物の床下に配置される。第２の貯湯タンクと第１の貯湯タンクとは、その内部の水または湯が循環するように連結され、ヒートポンプユニットは第１の貯湯タンクの水または湯を加熱する。第２の貯湯タンク２は、長尺のパイプ状物より形成され、建物の床下に均等に配置されると好適である。また、第２の貯湯タンクの上部に、放熱用のファン１１を備えると好ましい。【選択図】  図１
2005121254.tif 000002
【特許請求の範囲】
【請求項１】
給湯用の水または湯を貯える第１の貯湯タンクと、建物の暖房用の水または湯を貯える第２の貯湯タンクと、前記第１の貯湯タンクと第２の貯湯タンク内の水または湯を加熱する加熱手段とを備え、前記第２の貯湯タンクは前記建物の床下に配置されることを特徴とする貯湯式給湯装置。
【請求項２】
前記第２の貯湯タンクと前記第１の貯湯タンクとは、その内部の水または湯が循環するように連結され、前記加熱手段は前記第１の貯湯タンクの水または湯を加熱することを特徴とする請求項１に記載の貯湯式給湯装置。
【請求項３】
前記第２の貯湯タンクは、長尺のパイプ状物より形成され、前記建物の床下に均等に配置されることを特徴とする請求項１または２に記載の貯湯式給湯装置。
【請求項４】
前記第２の貯湯タンクの上部に、放熱用のファンを備えたことを特徴とする請求項１〜３のいずれかに記載の貯湯式給湯装置。
【発明の詳細な説明】
【技術分野】
【０００１】
本発明は、水または湯を貯える貯湯タンクを備えた貯湯式給湯装置に係り、特に、ヒートポンプユニット等の加熱手段により加熱した湯を貯え、屋外の設置スペースを増やさずに多量の湯を貯えることができ、給湯と共に床下からの暖房を行うことができる貯湯式給湯装置に関する。
【背景技術】
【０００２】
従来の貯湯式給湯装置は、給湯用の湯を内部に貯える貯湯タンクと、この貯湯タンク内の最下部の水を貯湯タンクの最上部に送る第１の循環回路と、第１の循環回路に設けられ、この回路を流れる水を加熱して高温の湯とするヒートポンプユニットと、ヒートポンプユニットにより加熱され貯湯タンク内の最上部に貯えられた高温の湯を循環して貯湯タンク内に戻す第２の循環回路と、第２の循環回路に設けられこの回路を流れる高温の湯と被加熱物とを熱交換して第２の循環回路を流れる高温の湯を低温の湯とする熱交換手段と、貯湯タンク内の湯が貯湯タンク外で消費されるときには貯湯タンク内の湯を貯湯タンク外に送る給湯配管と、貯湯タンク内の湯が給湯配管を通って貯湯タンク外で消費されるときには貯湯タンク内の最下部に水を供給する給水配管とを備え、第２の循環回路はこの回路を流れ、貯湯タンク内に戻る低温の湯を貯湯タンク内の高温の湯と水との間に戻す構成としている（例えば、特許文献１参照）。
【０００３】
この貯湯式給湯装置は、タンク内に貯湯された湯を給湯のみでなく床暖房等の熱源として使用するものであり、熱源として利用され熱交換された後の低温の湯を貯湯タンクの適切な位置に戻すことによって、もしくは、給湯用と暖房用の２つのタンクを備えることによって、ヒートポンプユニットでタンク内の湯を加熱する際の効率低下を防止している。一般的に、このタイプの給湯装置では、電気を使って貯湯タンク内の湯を加熱するので、極力電気料金の安い深夜時間帯のみにヒートポンプユニットでの加熱を行うような制御を行う設計となっている。前記の特許文献１の貯湯式給湯装置においても、深夜時間帯のみに貯湯を行い、タンクに貯湯した湯で翌日の給湯と暖房とを行うための改良が行われている。
【特許文献１】特開２００３−１１４０５３号公報（特許請求の範囲、図１）
【発明の開示】
【発明が解決しようとする課題】
【０００４】
ところで、前記構造の貯湯式給湯装置は、給湯と床暖房等の熱源に貯湯タンク内の湯を使用するため、従来の給湯のみを行う給湯装置に比べて貯湯タンクの容量を大きくする必要があるが、貯湯タンクは住宅敷地内の屋外に設置されるため、貯湯タンクの容量が大きくなると敷地の狭い住宅においては給湯装置を設置できなくなる問題があった。また、経済的な運転を実現するために、深夜時間帯に貯めた湯で翌日の負荷をまかなうようにすると、一般的なタンクの大きさでは住宅の一部分しか暖房できないという問題があった。
【０００５】
本発明は、このような問題に鑑みてなされたものであって、その目的とするところは、貯湯タンク内の湯を給湯用途と暖房用途に利用する貯湯式給湯装置であっても、屋外に設置される給湯装置の占有範囲を小さくでき、かつ住宅の大面積を暖房できることで居住者にとって快適な暖房を行うことのできる貯湯式給湯装置を提供することにある。また、深夜電力で貯めた湯を給湯と暖房に利用できるため、低コストで運転できる貯湯式給湯装置を提供することにある。
【課題を解決するための手段】
【０００６】
前記目的を達成すべく、本発明に係る貯湯式給湯装置は、給湯用の水または湯を貯える第１の貯湯タンクと、建物の暖房用の水または湯を貯える第２の貯湯タンクと、第１の貯湯タンクと第２の貯湯タンク内の水または湯を加熱する加熱手段とを備え、第２の貯湯タンクは建物の床下に配置されることを特徴とする。加熱手段としては、熱媒として水を循環させて加熱するヒートポンプユニットが好ましい。また、第２の貯湯タンク２を除く他の構成部分が屋外ユニット１０としてユニット化されると好適である。
【０００７】
前記のごとく構成された本発明の貯湯式給湯装置は、ヒートポンプユニット等の加熱手段で第１の貯湯タンク内の水または湯を加熱して高温の湯とし、同時に第２の貯湯タンク内の水または湯を加熱して高温の湯とし、お湯を使用する給湯時には第１の貯湯タンク内の湯を使用し、暖房を使用するときには第１の貯湯タンク内の湯と第２の貯湯タンク内の湯を循環させて建物床下から加熱する。このように給湯用の湯と暖房用の湯を分けて貯湯し、暖房用の湯は建物の床下に配置され、屋外に設置する給湯用の貯湯タンクの湯量を減らすことができるため、屋外設置の貯湯タンクを小型化でき占有範囲を小さくすることができる。
【０００８】
本発明に係る貯湯式給湯装置の好ましい具体的な態様としては、前記第２の貯湯タンクと第１の貯湯タンクとは、その内部の水または湯が循環するように連結され、加熱手段は第１の貯湯タンクの水または湯を加熱することを特徴とする。すなわち、第１の貯湯タンクと第２の貯湯タンクとは、内部の水または湯が循環するように並列的に連結され、１つの加熱手段で両方の貯湯タンク内の水または湯を加熱する構成となっている。
【０００９】
このように構成すると、１つの加熱手段で両方のタンク内の水または湯を循環させて加熱できるため構成が簡単となり、夏場に第１の貯湯タンクから第２の貯湯タンクへの循環を止めることで暖房を停止し、第１の貯湯タンク内の水または湯を加熱するだけなので、不要な加熱を防止してエネルギーコストを低減できる。
【００１０】
また、本発明に係る貯湯式給湯装置の好ましい具体的な他の態様としては、前記第２の貯湯タンクは、長尺のパイプ状物、例えば太目の配管等により形成され、建物の床下に均等に配置されることを特徴としている。例えば、床下全面に等間隔で配管すると好適である。この構成によれば、建物の床下に配置される第２の貯湯タンクをパイプ状物で形成し、パイプ状物を例えば基礎スラブ上に引き回して床面の広い面積に配置できるため、床暖房に必要な貯湯量を確保できると共に、建物内の全域を均一に暖房することができる。
【００１１】
さらに、本発明に係る貯湯式給湯装置の好ましい具体的な他の態様としては、前記第２の貯湯タンクの上部に、放熱用のファンを備えたことを特徴としている。このように構成すると、建物内の暖房時にファンを作動させることで、第２の貯湯タンクから床下空間への放熱量を調節することができ、暖房能力を調節することで建物内部での温度変化の少ない快適な暖房設備とすることができる。
【発明の効果】
【００１２】
本発明によれば、給湯用および暖房用の貯湯タンクを設置する占有範囲を小さくすることができ、敷地面積に余裕のない場合でも給湯用と暖房用の貯湯式給湯装置を容易に設置することができる。また、暖房用の第２の貯湯タンクを床下に配置できるため、建物内の広い面積の暖房を効率よく行うことができる。さらに、設置面積が小さく、敷地内での少ない占有範囲で大きな貯湯量を確保できるため深夜電力を有効利用でき、貯湯するためのエネルギーコストを低減することができる。
【発明を実施するための最良の形態】
【００１３】
以下、本発明に係る貯湯式給湯装置の一実施形態を図面に基づき詳細に説明する。図１
は、本実施形態に係る貯湯式給湯装置を示す全体構成図、図２は、図１の装置を建物に設置した状態を示す要部斜視図である。図１，２において、本実施形態の貯湯式給湯装置は、給湯用の水または湯を貯える第１の貯湯タンク１と、建物の暖房用の水または湯を貯える第２の貯湯タンク２と、第１の貯湯タンク１と第２の貯湯タンク２内の水または湯を加熱する加熱手段としてヒートポンプユニット３とを備えており、第２の貯湯タンク２は建物の床下に配置されている。ヒートポンプユニット３は、貯湯タンク１内の下部の低温の水を循環させて熱交換し、水を加熱して高温の湯として貯湯タンク１の上部に戻すものである。
【００１４】
第２の貯湯タンク２は、第１の貯湯タンク１と、内部の水または湯が循環するように並列的に連結され、ヒートポンプユニット３は第１の貯湯タンク１の水または湯を加熱するように構成されている。このため、２つの貯湯タンク１，２内の水または湯を循環させることにより、１つのヒートポンプユニット３で両方の貯湯タンク１，２内の水または湯を加熱できる構成となっている。
【００１５】
第１の貯湯タンク１には、水や湯が出入する３つの経路の導入口および導出口が設けられている。第１の経路Ｐ１は、貯湯タンク１の下部から低温の水をヒートポンプユニット３に送り、ヒートポンプユニット３で加熱された湯を貯湯タンク１の上部に戻す経路であり、循環ポンプ４で水または湯を循環させ、貯湯タンク１内に所定の高温の湯を貯める経路となっている。
【００１６】
第２の経路Ｐ２は給湯用の経路であり、貯湯タンク１の上部の高温の湯を給湯負荷５に送る配管２ａと、給湯負荷５に送られた湯と同量の市水が市水源６から貯湯タンク１の下部に流入する配管２ｂと、配管２ａと配管２ｂとを結ぶバイパス通路の配管２ｃとを備えており、配管２ａへの流入部には混合弁７が配置されている。この混合弁７により、貯湯タンク１から給湯負荷５に供給される湯の温度が高いときには市水を混ぜて湯温を調整することができる。この混合弁７は、給湯用コントローラ（図示せず）等により制御され、所定の湯温の湯が給湯負荷５に供給される構成となっている。
【００１７】
第３の経路Ｐ３は暖房用の経路であり、建物の床下に配置された第２の貯湯タンク２に貯湯タンク１の上部の高温の湯を循環ポンプ８で循環させる経路である。循環ポンプ８はマイコン等で構成される暖房用コントローラ（図示せず）により制御され、貯湯タンク２を流れる湯温と湯量を制御するものである。なお、図示していないが、前記の３つの経路には逆流防止弁や圧力調整弁等を備えることが好ましい。
【００１８】
第１の貯湯タンク１は、外周部に図示していない断熱材が配置されており、高温の湯を長時間放置しても冷めにくい構成となっており、１日の給湯使用量として、例えば３００リットル程度の内容量を有している。貯湯タンク１は湯が成層化して貯められる構造であり、上部に高温の湯が貯まり下部に行くにしたがって低温となるように湯が貯められており、前記した給湯コントローラ等によりヒートポンプユニット３および循環ポンプ４が制御され、水または湯を循環して常に所定の温度の湯が貯められるように設定されている。貯湯温度は冬場の湯を多量に使用する時期には９０℃程度が好ましいが、それ以外の時期では低温にしてもよい。
【００１９】
第２の貯湯タンク２は建物の床下全面に均等に配置され、建物の暖房に使用されるタンクであり、長尺のパイプ状物より形成されている。すなわち、貯湯タンク２は、直径が５０ｍｍ程度の配管を建物の幅に合わせて直線状に配置し、外壁部に接近するとＵターンにより旋回させて反対方向に戻し、３０〜５０ｃｍ程度のピッチで平行状態に往復させている。配管は放熱性や耐久性を考慮すると銅管やステンレス管等の金属製配管が好ましいが、塩化ビニル等の樹脂管でもよい。
【００２０】
貯湯タンク２を例えば床面積が１００平方メートル程度の住宅に設置する場合、外周壁面から５０ｃｍ程度離して、５０ｃｍピッチで平行に配管すると総長で１５０〜２００ｍ程度の配管長となり、配管部分の内容量は３００〜４００リットル程度となる。このように第２の貯湯タンク２は建物の床下全面に偏りがないように均等に配置され、貯湯タンク１から高温の湯を循環ポンプ８で循環させ、建物を下方から均一に暖房することができる形態となっている。第１の経路Ｐ１で貯湯タンク１内の水または湯を加熱するときに、循環ポンプ８を作動させて同時に貯湯タンク２内の水または湯も加熱し、両方のタンク１、２内の水が９０℃程度となるようにヒートポンプユニット３で加熱し、所定の温度となった時点でヒートポンプユニット３、循環ポンプ４，８を停止する。
【００２１】
前記した本実施形態の貯湯式給湯装置は、第２の貯湯タンク２を除く他の構成部分が屋外ユニット１０としてユニット化されている。すなわち屋外ユニット１０に市水源６から市水が導入され、屋外ユニット１０から給湯負荷５として浴室や台所、洗面所に温水が供給されると共に、屋外ユニット１０と貯湯タンク２とを高温の湯が循環する構成となっている。この貯湯式給湯装置は、建物２０に設置されるものであり、建物２０は基礎２１と上屋２２とから構成され、図２に示されるように屋外ユニット１０が建物２０の外部に設置され、貯湯タンク２は基礎２１内の床下空間の下面に設置される。屋外の敷地内部に設置される屋外ユニット１０は、通常の容積の貯湯タンク１を内蔵しているため特に大型のものではなく、敷地内に容易に設置できる。
【００２２】
建物２０の基礎２１外周部には断熱材（図示せず）が配置され、貯湯タンク２から放熱された熱が建物外部に逃げて損失するのを防止している。貯湯タンク２の上部の床下空間には、貯湯タンク２の熱交換速度を調節するファン１１が１つ以上設けられている。ファン１１を作動させることにより貯湯タンク２からの熱の放散を促し、建物２０の上屋２２内の空間への熱の伝達を促進するように機能させることができる。この結果、建物２０は前記の貯湯式給湯装置を備え、台所や洗面所に温水を供給する給湯設備と床暖房設備とを備える。
【００２３】
なお、貯湯式給湯装置を備える前記の建物２０は、夏場の暖房を必要としない時期には、経路Ｐ３の配管途中の循環ポンプ８を作動させないことで暖房機能を停止することができる。この構成により、夏場には貯湯タンク２内の水を加熱する必要がなく、ヒートポンプユニット３の負荷を軽減することができる。この場合、貯湯タンク２への配管途中の経路Ｐ３に電磁弁等のバルブを設置し、このバルブを閉じることで暖房を停止するようにしてもよい。
【００２４】
貯湯タンク２は床下に配置される例として、基礎スラブ面上に載置する例を示したが、床下の基礎コンクリート内に埋設するように構成してもよい。このように構成すると、貯湯タンク２の配管から放熱される熱は、基礎コンクリートを介して放散して建物内の空間に伝達されるため、配管ピッチに依存されることなく建物内を均一に暖房することができる。また、コンクリートは熱容量が大きいため、放熱の温度分布が均一となって温度変化の小さい、より快適な暖房を可能とする。
【００２５】
前記の如く構成された本実施形態の貯湯式給湯装置の動作について以下に説明する。先ず、図３を参照し、経路Ｐ１を通してヒートポンプユニット３により水または湯を加熱する動作について説明する。貯湯タンク１内の下部の低温の水（冷水）は循環ポンプ４によりヒートポンプユニット３へ循環され、ここで加熱されて貯湯タンク１の上部からタンク内に戻される。タンク上部から戻される高温の湯は、タンク内部の水より比重が小さいため両者は混合することなく、貯湯タンク内には上部が高温で下部が低温の温度成層が形成される。この加熱動作は、夜間の時間帯、例えば午後１１時から午前７時までの時間帯に
行われる。
【００２６】
このようにして貯湯タンク１内に所定の温度の湯が貯められ、この湯は給湯や暖房に使用される。図４を参照して、貯湯タンク１内の湯が経路Ｐ２を通して給湯に使用される場合の動作を説明する。給湯負荷５で蛇口を開くと貯湯タンク１の上部から高温の湯が供給され、温水を使用することができる。使用される湯の温度は混合弁７で市水と混合されて適温とされる。なお、大量の湯の使用で貯湯タンク１内の湯量が減少すると、市水源６から低温の市水（冷水）が供給され、貯湯タンク１内の湯温が下がるので、経路Ｐ１のヒートポンプユニット３で加熱して所定の湯温に復帰するようにしてもよい。この場合は、深夜電力でなく、昼間の電力を使用する。
【００２７】
つぎに、図５を参照して貯湯タンク２内の湯が経路Ｐ３を通して暖房に使用される場合の動作を説明する。暖房を行う場合は、暖房用コントローラで循環ポンプ８およびファン１１を制御して建物内を所定の室温となるように調節する。循環ポンプ８を作動させると、貯湯タンク１の上部の高温の湯が貯湯タンク２に送られ、送られた高温の湯は貯湯タンク２で放熱し、低温の湯となって貯湯タンク１に戻される。ファン１１は作動させなくてもよいが、必要に応じてファン１１を作動させることで暖房能力を増やすことができる。
【００２８】
高温の湯が徐々に流出し、低温の湯が戻ることで貯湯タンク１内に低温の湯が増えるが、貯湯タンク１の湯量は１日の暖房に必要な湯量に設定されているため、再加熱する必要はない。なお、暖房を最大に使用して貯湯タンク１内の湯の温度が低下したとき、図３に示す経路Ｐ１に沿って低温の湯を循環させ、ヒートポンプユニット３により低温の湯を加熱し、貯湯タンク１内の湯温が上昇するように制御してもよい。この場合も、昼間の電力を使用する。
【００２９】
ここで、建物を暖房する場合の貯湯タンク２の放熱過程について説明する。本実施形態では、貯湯タンク２は深夜電力を用いて朝方の５：００に最も高温となるように設定されており、高温の湯は徐々に床下空間へ放熱して低温の湯となり、翌日の５：００までに再度高温の湯で満たされるように制御されている。貯湯タンク２の下部は基礎コンクリート、土壌というように熱容量が大きい構成となっており、床下空間の温度変化は非常に小さく安定した温度となるため、建物内部の暖房も温度変化の少ない快適な暖房とすることができる。
【００３０】
また、建物基礎２１の外周部は断熱処理が施され、貯湯タンク２から床下空間へ放熱された熱は建物外部へは逃げにくく、ほとんどが建物１階部分の床から建物内へ放熱される。したがって、建物１階部分の床は常に２０℃程度の暖かい状態が保たれる。この暖房方式では、居室と廊下やトイレ等の非居室との温度差がほとんどないので、高齢者にとってヒートショックのない安全な環境を作ることができる。さらに、床下空間を暖房空間とすることにより床下に湿気が溜まることを防止できるため、床下換気穴がなくても木造建物の場合は木材の腐食を防止でき、鉄骨造の建物の場合は鉄骨の錆を防止して建物の耐久性を向上することができ、基礎の構成を簡略化できる。
【００３１】
図６は、暖房用の貯湯タンク２に高温の湯を循環させて、床下空間の温度が３０℃一定であるとしたときの貯湯タンク２の平均温度を示しており、図７は貯湯タンク２から床下空間へ放熱された熱量を示している。図６，７の制御方式Ａは床下空間に設置されたファン１１を作動させないときの推移を示している。制御方式Ａでは、貯湯終了（５：００）直後に温度低下が最も早く、放熱量が最も大きい。時間が経過するにつれて放熱量は減少し、夜間（２０：００頃）にはほとんど放熱されず、深夜から朝方に３０℃程度の温度となる。
【００３２】
これに対し、制御方式Ｂでは床下に設置されたファン１１を作動させ、放熱速度を調節したときの推移を示している。建物が冷え込む朝方（６：００−９：００）と夜間（１７：００−２２：００）にファン１１を作動させ、熱交換を促進することで朝方と夜間の放熱量を増やし、外気温が上昇する昼間には放熱量が抑えられている。この制御方式Ｂのように、ファン１１を作動させることによって貯湯タンク２から床下空間への放熱量を制御することができる。制御方式Ａと制御方式Ｂのトータルの放熱量は同じであるが、ファンを作動させる制御方式Ｂのほうが朝夕の放熱量を増やすことで、建物内部の温度変化を少なくでき、より快適な暖房を可能とする。
【００３３】
一般に、貯湯タンク内の湯を給湯と暖房の熱源として利用する貯湯式給湯装置は、電気料金の安い深夜時間帯に給湯分と暖房分の湯を貯湯タンクに貯める必要があるため、給湯だけを行う貯湯式給湯装置に比べて、屋外に設置される給湯装置の占有範囲が大きくなってしまう。しかしながら、本実施形態の貯湯式給湯装置は、暖房分の湯を建物の床下空間に配置した貯湯タンク内に貯湯することで、屋外に設置される給湯装置の占有範囲を給湯だけを行う貯湯式給湯装置と同等とすることができ、敷地に余裕のない場合でも給湯と暖房の両方が可能な給湯装置を設置できる。
【００３４】
また、床下空間の外周部は断熱されており、かつ、貯湯タンク内の湯、床コンクリート、床下土壌の熱容量が大きいため、床下空間は温度変化が非常に小さくなり、安定した熱量が建物内部へ放熱される。したがって建物の１階部分の床全てが、いつでも快適な温度であり、居住者にとって快適な暖房方式である。また、建物が２階建ての場合でも、１階部分を暖房した熱が上昇して２階部分も均等に暖房できるため、２階部分も快適に暖房できる。さらに、貯湯タンクの沸き上げを深夜時間帯のみとし、床下への放熱量をファンで制御できるので、昼間に沸き上げを行う必要がなく、経済的な運転が可能となる。
【００３５】
暖房温度を調節するファンは床下空間の外周部に複数個設置し、例えば床下空間に旋回流を作るように設置すると建物内部を効率よく暖房できて好適である。本実施形態の貯湯式給湯装置は、基礎２１内部の床下空間を暖房空間として用いるため、一般的な住居等の建物２０の基礎２１に設けられる床下換気穴は必要ない。すなわち、床下換気穴がなくても、床下に湿気がたまることがないため、通風する必要がなくなるのである。
【００３６】
なお、前記した図３の加熱動作において、冬の極寒期には貯湯タンク２側の経路Ｐ３の循環ポンプ８を作動させ、高温の湯を貯湯タンク２内にも貯えるようにすると暖房能力を増大させることができる。この場合、暖房用コントローラで屋外の温度を検出し、屋外温度が極端に低いときの加熱動作中、循環ポンプ８を作動させるように制御すると好適である。このように構成し、加熱動作中に貯湯タンク２内の水も高温の湯としておいた場合、先ず貯湯タンク２内の高温の湯から熱が放散し、床下空間の温度を上昇させることにより上部の上屋部分の暖房を行うため、循環ポンプ８を作動させなくても放熱により暖房状態となる。そして、貯湯タンク２内の湯温が低くなったときに循環ポンプ８を作動させるように制御してもよい。
【００３７】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、図示していない給湯用コントローラや暖房用コントローラは、給湯温度や暖房温度を任意に設定できるような設定手段を有し、設定温度を表示する表示装置を有するものが好ましい。加熱手段としてヒートポンプユニットの例を示したが、石油やガス等の燃料を使用するボイラー等の他の加熱手段を用いてもよい。
【００３８】
また、前記の実施形態では、第１の貯湯タンク１および第２の貯湯タンク内２の水を加
熱するのに深夜電力のみを利用する例を示したが、真冬等で暖房使用量が増え、暖房用の第２の貯湯タンク２内の湯温が低下した場合は、第１の経路Ｐ１を通してヒートポンプユニット３により昼間の電力を用いて加熱するように構成することもできる。この場合、第１および／または第２の貯湯タンク内の湯温を検出し、給湯用コントローラや暖房用コントローラ等からの指示で加熱するように構成すると好ましい。
【図面の簡単な説明】
【００３９】
【図１】本発明に係る貯湯式給湯装置の一実施形態の全体構成図。
【図２】図１の貯湯式給湯装置を建物に設置した状態の要部斜視図。
【図３】図１，２の貯湯式給湯装置の加熱状態を示す動作説明図。
【図４】図１，２の貯湯式給湯装置の給湯状態を示す動作説明図。
【図５】図１，２の貯湯式給湯装置の暖房状態を示す動作説明図。
【図６】床下空間の温度を３０℃に保つ場合の２つの制御方式による暖房用の貯湯タンクの平均温度を示すグラフ図。
【図７】図６に示す２つの制御方式による暖房用の貯湯タンクから床下空間への放熱量を示すグラフ図。
【符号の説明】
【００４０】
１：第１の貯湯タンク（給湯用）、２：第２の貯湯タンク（暖房用）、３：ヒートポンプユニット（加熱手段）、４：循環ポンプ（給湯用）、５：給湯負荷、６：市水源、７：混合弁、８：循環ポンプ（暖房用）、１０：屋外ユニット、１１：ファン、２０：建物、２１：基礎（床下空間）、Ｐ１：第１の経路、Ｐ２：第２の経路、Ｐ３：第３の経路
【図１】
2005121254.tif 000003
【図２】
2005121254.tif 000004
【図３】
2005121254.tif 000005
【図４】
2005121254.tif 000006
【図５】
2005121254.tif 000007
【図６】
2005121254.tif 000008
【図７】
2005121254.tif 000009